【手続補正書】
【提出日】平成16年12月24日(2004.12.24)
【手続補正１】
【補正対象書類名】明細書
【補正対象項目名】特許請求の範囲
【補正方法】変更
【補正の内容】
【特許請求の範囲】
【請求項１】 切削インサートホルダー（１０）内の切削インサートポケット（５０）に於いて、 
２つのインサート支持側壁（２０，５８）とそれに対し横断するベース（２４）とを具備しており、該２つのインサート支持側壁の第１（２０）は該ベース（２４）に対して固定され、そして２つの、間を隔てた、共面のインサート配置面（３０，３２）を備えており、該２つのインサート支持側壁の第２（５８）は該ベース（２４）に対し横断する軸線の周りに回転可能で、そして２つの、間を隔てた、共面の配置面（６０，６２）を備えており、該２つのインサート支持側壁（２０，５８）は相互に対し角度付きで配置されており、該第２インサート支持側壁（５８）は摺動式に回転可能な部材（５２）の内面（５４）であり、該摺動式に回転可能な部材（５２）は該内面（５４）の反対の外面（５６）を有することを特徴とする切削インサートホルダー（１０）内の切削インサートポケット（５０）。
【請求項２】 請求項１の該切削インサートポケットに於いて、該摺動式に回転可能な部材（５２）の該外面（５６）は弧状部分（６４）を有しておりそして該切削インサートホルダー（１０）は該摺動式に回転可能な部材（５２）の該外面（５６）の隣の固定内壁（６６）を有しており、該固定内壁（６６）は少なくとも２つの、間を隔てた、隣接面（６８’、６８”）を有しており、該摺動式に回転可能な部材（５２）の該外面（５６）の該弧状部分（６４）は該少なくとも２つの、間を隔てた隣接面（６８’、６８”）と隣接し、該摺動式に回転可能な部材（５２）が該インサートホルダーの該固定内壁（６６）に対して摺動式回転運動することを可能にすることを特徴とする切削インサートポケット。
【請求項３】 請求項１の該切削インサートポケットに於いて、該摺動式に回転可能な部材（５２）の該外面（５６）は第１曲率半径を有する弧状部分（６４）を備えており、該切削インサートホルダー（１０）は該摺動式に回転可能な部材（５２）の該外面（５６）の隣の固定内壁（６６）を有しており、該固定内壁（６６）は第２曲率半径を有する弧状部分（６８）を備えており、該摺動式に回転可能な部材（５２）の該外面（５６）の該弧状部分（６４）は該固定内壁（６６）の該弧状部分（６８）と隣接しており、該摺動式に回転可能な部材（５２）が該切削インサートポケット（５０）の該固定内壁（６６）に対して摺動式回転運動をすることを可能にすることを特徴とする切削インサートポケット。
【請求項４】 請求項３の該切削インサートポケットに於いて、該第１曲率半径は該第２曲率半径より大きいことを特徴とする切削インサートポケット。
【請求項５】 請求項３又は４の何れかの該切削インサートポケットに於いて、該摺動式に回転可能な部材（５２）の該外面（５６）の該弧状部分（６４）は凸であり、該固定内壁（６６）の該弧状部分（６８）は凹であることを特徴とする切削インサートポケット。
【請求項６】 請求項３又は４の何れかの該切削インサートポケットに於いて、該摺動式に回転可能な部材（５２）の該外面（５６）の該弧状部分（６４）は凹であり、該固定内壁（６６）の該弧状部分（６８）は凸であることを特徴とする切削インサートポケット。
【請求項７】 請求項１の該切削インサートポケットに於いて、該摺動式に回転可能な部材（５２）は通し孔（７０）を備えており、該切削インサートポケット（５０）の該ベース（２４）は孔（７６）を備えており、該摺動式に回転可能な部材（５２）は、該通し孔（７０）を通過しそして該摺動式に回転可能な部材（５２）から該孔（７６）内へ突出するピン（７２）により、該切削インサートポケット（５０）の該ベース（２４）に取り付けられていることを特徴とする切削インサートポケット。
【請求項８】 請求項７の該切削インサートポケットに於いて、該切削インサートポケット（５０）の該ベース（２４）内の該孔（７６）は第１直径を有し、該摺動式に回転可能な部材（５２）内の該通し孔（７０）は第２直径を有し、該第１直径は該第２直径より大きいことを特徴とする切削インサートポケット。
【請求項９】 切削インサートポケット（５０）を有する切削インサートホルダー（１０）とその中に保持された切削インサート（１８）とを備える切削ツール組立体に於いて、
該切削インサートは少なくとも２つの角度付きで配置されたインサート周囲側面（３６，３８）を有しており、
該切削インサートポケット（５０）は、 内面（５４）及び相対する外面（５６）を有する摺動式に回転可能な部材（５２）と、 ２つのインサート支持側壁（２０，５８）とそれに対し横断するベース（２４）とを具備しており、
該２つのインサート支持側壁の第１（２０）は該ベース（２４）に対し固定され、そして２つの、間を隔てた、共面のインサート配置面（３０，３２）を備えており、該２つのインサート支持側壁の第２（５８）は該切削インサートポケット（５０）の固定内壁（６６）に対し摺動式に回転可能で、そして２つの、間を隔てた、共面のインサート配置面（６０，６２）を備えており、該固定内壁（６６）は該摺動式に回転可能な部材（５２）の該外面（５６）の隣にあり、該２つのインサート支持側壁（２０，５８）は相互に対し角度付きで配置されており、該第２インサート支持側壁（５８）は該摺動式に回転可能な部材（５２）の該内面（５４）であり、 
該第１インサート支持側壁（２０）の該２つの、間を隔てた、共面のインサート配置面（３０，３２）が１つのインサート周囲側面（３６）に隣接し、そして該第２インサート支持側壁（５８）の該２つの、間を隔てた、共面のインサート配置面（６０，６２）がもう１つのインサート周囲側面（３８）に隣接するように、該保持された切削インサート（１８）は該切削インサートポケット（５０）内に配置されており、該摺動式に回転可能な部材（５２）は該切削インサート（１８）と、該摺動式に回転可能な部材（５２）の該外面（５６）の隣の該固定内壁（６６）と、の間に位置的に固定されるようになっていることを特徴とする切削ツール組立体。
【請求項１０】 請求項９の該切削ツール組立体に於いて、該摺動式に回転可能な部材（５２）の該外面（５６）は弧状部分（６４）を有しており、そして該切削インサートホルダー（１０）は該摺動式に回転可能な部材（５２）の該外面（５６）の隣の固定内壁（６６）を有しており、該固定内壁（６６）は少なくとも２つの間を隔てた隣接面（６８’、６８”）を有しており、該摺動式に回転可能な部材（５２）の該外面（５６）の該弧状部分（６４）は該少なくとも２つの間を隔てた隣接面（６８’、６８”）と隣接し、該摺動式に回転可能な部材（５２）が該インサートホルダーの該固定内壁（６６）に対して摺動式に回転運動することを可能にすることを特徴とする切削ツール組立体。
【請求項１１】 請求項９の該切削インサートポケットに於いて、該摺動式に回転可能な部材（５２）の該外面（５６）は第１曲率半径を有する弧状部分（６４）を備えており、該切削インサートホルダー（１０）は該摺動式に回転可能な部材（５２）の該外面（５６）の隣の固定内壁（６６）を有しており、該固定内壁（６６）は第２曲率半径を有する弧状部分（６８）を備えており、該摺動式に回転可能な部材（５２）の該外面（５６）の該弧状部分（６４）は該固定内壁（６６）の該弧状部分（６８）に隣接して、該摺動式に回転可能な部材（５２）が該切削インサートポケット（５０）の該固定内壁（６６）に対し摺動式に回転運動することを可能にすることを特徴とする切削ツール組立体。
【請求項１２】 請求項１１の該切削インサートポケットに於いて、該第１曲率半径は第２曲率半径より大きいことを特徴とする切削ツール組立体。
【請求項１３】 請求項１１又は１２の何れかの該切削インサートポケットに於いて、該摺動式に回転可能な部材（５２）の該外面（５６）の該弧状部分（６４）は凸であり、該固定内壁（６６）の該弧状部分（６８）は凹であることを特徴とする切削ツール組立体。
【請求項１４】 請求項１１又は１２の何れかの該切削インサートポケットに於いて、該摺動式に回転可能な部材（５２）の該外面（５６）の該弧状部分（６４）は凹であり、該固定内壁（６６）の該弧状部分（６８）は凸であることを特徴とする切削ツール組立体。
【請求項１５】 請求項９の該切削インサートポケットに於いて、該摺動式に回転可能な部材（５２）は通し孔（７０）を備えておりそして該切削インサートポケット（５０）の該ベース（２４）は孔（７６）を備えており、該摺動式に回転可能な部材（５２）は、該通し孔（７０）を通過しそして該摺動式に回転可能な部材（５２）から該孔（７６）内へ突出するピン（７２）により該切削インサートポケット（５０）の該ベース（２４）に取り付けられていることを特徴とする切削ツール組立体。
【請求項１６】 請求項１５の該切削インサートポケットに於いて、該切削インサートポケット（５０）の該ベース（２４）の中の該孔（７６）は第１の直径を有しそして該摺動式に回転可能な部材（５２）の中の該通し孔（７０）は第２の直径を有し、該第１直径は該第２直径より大きいことを特徴とする切削ツール組立体。
【請求項１７】 切削インサートホルダーと切削インサートとを有する切削ツール組立体を組み立てる方法に於いて、 
（ｉ）切削インサートポケット（５０）を有する切削インサートホルダー（１０）を提供する過程を具備しており、該切削インサートポケットは、
内面（５４）と、相対する外面（５６）とを有する摺動式に回転可能な部材（５２）と、 ２つのインサート支持側壁（２０，５８）とそれに対し横断するベース（２４）とを備えており、該２つのインサート支持側壁の第１（２０）は該ベース（２４）に対し固定されておりそして２つの、間を隔てた、共面のインサート配置面（３０，３２）を有しており、該２つのインサート支持側壁の第２（５８）は該切削インサートポケット（５０）の固定内壁（６６）に対し摺動式に回転可能でありそして２つの、間を隔てた、共面のインサート配置面（６０，６２）を有しており、該固定内壁（６６）は該摺動式に回転可能な部材（５２）の該外面（５６）の隣にあり、該２つのインサート支持側壁（２０，５８）は相互に対し角度付きで配置されており、該第２インサート支持側壁（５８）は該摺動式に回転可能な部材（５２）の該内面（５４）であり、該２つのインサート支持側壁（２０，５８）は第１角度配置で相互に対し角度付きで配置されており、該組み立てる方法は又、
（ｉｉ）該切削インサートホルダー（１０）内に保持されるべき切削インサート（１８）を提供する過程を具備しており、該切削インサートは第２角度配置で配置される少なくとも２つの角度付きで配置されたインサート周囲側面（３６，３８）を有しており、該組み立てる方法は更に、 
（ｉｉｉ）該第１インサート支持側壁（２０）の該２つの、間を隔てた、共面のインサート配置面（３０，３２）が１つのインサート周囲側面（３６）の隣にあり、該第２インサート支持側壁（５８）の該２つの、間を隔てた、共面のインサート配置面（６０，６２）がもう１つのインサート周囲側面（３８）の隣にあるように、該切削インサート（１８）を該切削インサートポケット（５０）内に位置付ける過程と、 
（ｉｖ）該切削インサート（１８）内の通し孔（２８）内にクランプ用ねじ（２７）を、該クランプ用ねじ（２７）が該切削インサートポケット（５０）の該ベース（２４）内のねじ孔（２６）と嵌合するまで、挿入する過程と、 
（ｖ）該クランプ用ねじを該切削インサートポケット（５０）の該ベース（２４）内の該ねじ孔（２６）内にねじ込む過程とを具備しており、それにより該摺動式に回転可能な部材（５２）は該切削インサート（１８）と、該摺動式に回転可能な部材（５２）の該外面（５６）の隣の固定内壁（６６）と、の間に位置的に固定されており、そして該第１インサート支持側壁（２０）の該２つの、間を隔てた、共面のインサート配置面（３０，３２）が１つのインサート周囲側面（３６）に隣接しておりそして該第２インサート支持側壁（５８）の該２つの、間を隔てた、共面のインサート配置面（６０，６２）がもう１つのインサート周囲側面（３８）に隣接していることを特徴とする切削インサートホルダーと切削インサートとを有する切削ツール組立体を組み立てる方法。
【請求項１８】 請求項１７の該切削ツール組立体を組み立てる方法に於いて、該摺動式に回転可能な部材（５２）の該外面（５６）は第１曲率半径を有する弧状部分を備えておりそして該切削インサートホルダー（１０）は該摺動式に回転可能な部材（５２）の該外面（５６）の隣の固定内壁（６６）を有しており、該固定内壁（６６）は第２曲率半径を有する弧状部分（６８）を備えており、該摺動式に回転可能な部材（５２）の該外面（５６）の該弧状部分（６４）は該固定内壁（６６）の該弧状部分（６８）と隣接しており該摺動式に回転可能な部材（５２）が該切削インサートポケット（５０）の該固定内壁（６６）に対し摺動式に回転運動することを可能にすることを特徴とする切削ツール組立体を組み立てる方法。
【請求項１９】 請求項１８の該切削ツール組立体を組み立てる方法に於いて、該第１曲率半径が該第２曲率半径より大きいことを特徴とする切削ツール組立体を組み立てる方法。
【請求項２０】 請求項１８又は１９の何れかの該切削ツール組立体を組み立てる方法に於いて、該摺動式に回転可能な部材（５２）の該外面（５６）の該弧状部分（６４）は凸であり、該固定内壁（６６）の該弧状部分（６８）は凹であることを特徴とする切削ツール組立体を組み立てる方法。
【請求項２１】 請求項１８の該切削ツール組立体を組み立てる方法に於いて、該摺動式に回転可能な部材（５２）の該外面（５６）の該弧状部分（６４）は凹であり、該固定内壁（６６）の該弧状部分（６８）は凸であることを特徴とする切削ツール組立体を組み立てる方法。
【請求項２２】 請求項１７の該切削ツール組立体を組み立てる方法に於いて、該摺動式に回転可能な部材（５２）は通し孔（７０）を備えており、該切削インサートポケット（５０）の該ベース（２４）は孔（７６）を備えており、該摺動式に回転可能な部材（５２）が、該通し孔（７０）を通過しそして該摺動式に回転可能な部材（５２）から該孔（７６）内に突出するピン（７２）により、該切削インサートポケット（５０）の該ベース（２４）に取り付けられていることを特徴とする切削ツール組立体を組み立てる方法。
【請求項２３】 請求項２２の該切削ツール組立体を組み立てる方法に於いて、該切削インサートポケット（５０）の該ベース（２４）の中の該孔（７６）は第１直径を有し、該摺動式に回転可能な部材（５２）の中の該通し孔（７０）は第２直径を有し、該第１直径は該第２直径より大きいことを特徴とする切削ツール組立体を組み立てる方法。